(57)【要約】  ホールカップとの照準時に基準となるホールカップ照準基準線と左右傾斜角の範囲を表示する左右傾斜角表示度目盛りと中心のホールを備える表示度目盛り板、ホールに結合されて方向を指示する方向指示針の形状に形成される左右傾斜角指示針、左右傾斜角指示針を左右に回転させて左右傾斜角表示度目盛りを指示するようにする指示針回転手段、表示度目盛り板に取り付けられ、グリーンの上下傾斜角を表示する上下傾斜角表示手段、及び表示度目盛り板の上部に結合されるカバーを含むゴルフパット用方向指示装置であって、指示針回転手段は、一側に長孔が形成された左右傾斜角指示針と垂直に密着する楔ピンを含み、地球の中心方向に垂直に維持される第１回転カム、第１回転カムが左右回転可能に連結され、第１回転カムを前後に移動させる角度調節棒、及び角度調節棒を支持し、表示度目盛り板に取り付けられる第１支持部、を含んでなる。【選択図】図１
2019509866.tif 000002
【特許請求の範囲】
【請求項１】
ホールカップとの照準時に基準となるホールカップ照準基準線と左右傾斜角の範囲を表示する左右傾斜角表示度目盛りと中心のホールを備える表示度目盛り板、前記ホールに結合されて方向を指示する方向指示針の形状に形成される左右傾斜角指示針、前記左右傾斜角指示針を左右に回転させて前記左右傾斜角表示度目盛りを指示するようにする指示針回転手段、前記表示度目盛り板に取り付けられ、グリーンの上下傾斜角を表示する上下傾斜角表示手段、及び前記表示度目盛り板の上部に結合されるカバーを含むゴルフパット用方向指示装置であって、
前記指示針回転手段は、
一側に長孔が形成された前記左右傾斜角指示針と垂直に密着する楔ピンを含み、地球の中心方向に垂直に維持される第１回転カム、
前記第１回転カムが左右回転可能に連結され、前記第１回転カムを前後に移動させる角度調節棒、及び
前記角度調節棒を支持し、前記表示度目盛り板に取り付けられる第１支持部、を含む、ゴルフパット用方向指示装置。
【請求項２】
前記左右傾斜角指示針は、前記表示度目盛り板の中心と第１回転カム間の距離を認知することができるように表示された位置識別度目盛りをさらに含む、請求項１に記載のゴルフパット用方向指示装置。
【請求項３】
前記楔ピンは、端部が球形に形成され、前記第１回転カムが左右に回転するとき、前記左右傾斜角指示針の一側長孔に密着して隙間なしに指示針を動かす、請求項１に記載のゴルフパット用方向指示装置。
【請求項４】
前記角度調節棒は、一端に前記角度調節棒を前後に移動させるつまみをさらに含む、請求項１に記載のゴルフパット用方向指示装置。
【請求項５】
前記上下傾斜角表示手段は、
上下に回転可能であり、地球の中心方向に垂直に維持される第２回転カム、及び
前記第２回転カムを支持し、上下傾斜角基準線が表示される第２支持部、をさらに含む、請求項１に記載のゴルフパット用方向指示装置。
【請求項６】
前記第２回転カムは、上部円弧面に上下傾斜角を表示する上下傾斜角表示度目盛りをさらに含む、請求項５に記載のゴルフパット用方向指示装置。
【請求項７】
前記カバーは、前記表示度目盛り板を視覚的に確認することができるように、透明な材質からなることを特徴とする、請求項１に記載のゴルフパット用方向指示装置。
【発明の詳細な説明】
【技術分野】
【０００１】
本発明は、ゴルフパット用方向指示装置に関し、より詳しくは、ゴルフ場のグリーンに置かれたゴルフボールの位置とホールカップ間の傾斜面の傾斜角度を可視的に表示することができる物理的変換装置に関する。
【背景技術】
【０００２】
一般に、ゴルフにおけるパット（ｐｕｔｔｉｎｇ）動作は主にゴルフボールをホールカップ（ｈｏｌｅ  ｃｕｐ）に入れる最後の段階で行われるものであるので、高度の集中力を要求し、グリーンの傾斜面を考慮して正確な方向性を要求する動作の一つである。
【０００３】
一方、ゴルフ場のグリーンは、ホールカップの周りに多様な形態の傾斜面が設計されているため、パット時にゴルフボールが置かれた地点とホールカップ間の傾斜度を正確に読み出すことによってパットの成功率を高めることができるが、大多数のゴルファーはグリーンの傾斜度を読み出すことができなくてパットに困難を経験している。
【０００４】
前述したようなパット時の困難を克服してパットの正確度を高めるための補助手段としてゴルフパットの方向を指示する多くの製品及び特許があるが、従来の技術による各製品において指示された方向とゴルフボールの中心位置及び方向性が一致しなくてパットの正確度が低下する問題がある。
【０００５】
一方、前述したような問題を解決するための一手段として、円形の透明容器に液体を満たした後、気泡を形成させ、気泡の動きを用いて傾斜度を測定する水平計を使う技術が公開されている。
【０００６】
しかし、前述したような気泡を用いた水平計を使う場合、水平計が円筒状になっているので、傾きの頂点は確認することができるが、傾いた角度と方向を確認しにくい問題がある。特に、前述した水平計の気泡が上方にだけ移動するので、気泡の移動があってもこれを目盛りで正確に測定して何度に傾いているかを確認することができなくて概略の傾きのみの確認が可能であるだけなので、正確な角度を認知することができない問題がある。
【０００７】
また、従来技術では、水平計をパターに付着して使用する場合もあるが、この場合は、水平計を付着させる煩わしさと打とうとする方向の傾斜度の測定が複雑であるという問題がある。すなわち、パターに水平計を付着する場合、ゴルフルールに違反するだけでなく、グリーンに面接触させにくく、前後左右に移動させることによってだけグリーンの傾斜度を測定することができる問題がある。
【０００８】
また、従来の技術のうちには、電子式パット傾斜度測定器が流通しているが、このようなデジタル方式でパットの傾斜度及び上下傾きを表示する技術は、実在にゴルファーが製品のデジタル化した傾斜角度表示を見て傾斜角度の数値のみを頭の中で認知するだけ、実際のホールカップの方向を基準線としてゴルフボールの傾斜角度を目分量で頭の中で考えながらゴルフボールを傾斜面に向けて大まかにパットすることはできるが、正確な傾斜角度でパットすることは難しい問題がある。
【０００９】
また、従来技術のうちには方向指示針のギアと方向変換器のギアが互いに噛み合い、それぞれギアの割合で方向角度の倍率を決定してパット方向角度の正確性は維持されるはずであるが、鋸歯状のギアの歯構造があまりにも小さく形成されるから、外部の小さな衝撃にもギア間にずれが発生するため、毎度新しく正確に照準しなければならない問題があった。
【先行技術文献】
【特許文献】
【００１０】
【特許文献１】大韓民国特許登録第１０−１４８４５５０号公報（公告日：２０１５．０１．１４）
【特許文献２】大韓民国実用新案登録第２０−０４１３３５２号公報（公告日：２００６．０４．１０）
【発明の概要】
【発明が解決しようとする課題】
【００１１】
本発明は、このような問題を解決するためのもので、より詳しくは、グリーンにゴルフボールが置かれた地点とホールカップが位置する地点間の左右傾斜度を測定して傾斜度を勘案し、パット角度とパット方向まで指示するようにして正確なパット方向を見積もることができるようにしたゴルフパット用方向指示装置を提供することにその目的がある。
【００１２】
また、本発明による技術の他の目的は、グリーンにゴルフボールが置かれた地点とホールカップが位置する地点間の上下傾斜度を提示することにより、パット時に打ち上げる場合と打ち下げる場合の力調節を見積もることによってパットの正確性を高めることができ、錯視現象がある地域で上下方向を正確に認知してパット時の間違いを排除させることにある。
【課題を解決するための手段】
【００１３】
本発明によるゴルフパット用方向指示装置は、ホールカップとの照準時に基準となるホールカップ照準基準線と左右傾斜角の範囲を表示する左右傾斜角表示度目盛りと中心のホールを備える表示度目盛り板、前記ホールに結合されて方向を指示する方向指示針の形状に形成される左右傾斜角指示針、前記左右傾斜角指示針を左右に回転させて前記左右傾斜角表示度目盛りを指示するようにする指示針回転手段、前記表示度目盛り板に取り付けられ、グリーンの上下傾斜角を表示する上下傾斜角表示手段、及び前記表示度目盛り板の上部に結合されるカバーを含むゴルフパット用方向指示装置であって、前記指示針回転手段は、一側に長孔が形成された左右傾斜角指示針と垂直に密着する楔ピンを含み、地球の中心方向に垂直に維持される第１回転カム、前記第１回転カムが左右回転可能に連結され、前記第１回転カムを前後に移動させる角度調節棒、及び前記角度調節棒を支持し、前記表示度目盛り板に取り付けられる第１支持部、を含む。
【００１４】
好ましくは、前記左右傾斜角指示針は、表示度目盛り板の中心と第１回転カム間の距離を認知することができるように表示された位置識別度目盛りをさらに含む。
【００１５】
好ましくは、前記楔ピンは、端部が球形に形成され、第１回転カムが左右に回転するとき、左右傾斜角指示針の一側長孔に密着して隙間なしに指示針を動かすことを特徴とする。
【００１６】
好ましくは、前記角度調節棒は、一端に前記角度調節棒を前後に移動させるつまみをさらに含む。
【００１７】
好ましくは、前記上下傾斜角表示手段は、上下に回転可能であり、地球の中心方向に垂直に維持される第２回転カム、及び前記第２回転カムを支持し、上下傾斜角基準線が表示される第２支持部、をさらに含む。
【００１８】
好ましくは、前記第２回転カムは、上部円弧面に上下傾斜角を表示する上下傾斜角表示度目盛りをさらに含む。
【００１９】
好ましくは、前記カバーは、前記表示度目盛り板を視覚的に確認することができるように、透明な材質からなることを特徴とする。
【発明の効果】
【００２０】
本発明によるゴルフパット用方向指示装置は、グリーンにゴルフボールが置かれれば、マーカーの代用としてゴルフパット用方向指示装置を用い、ホールカップの中央にホールカップ照準基準線を合わせた後、左右傾斜角指示針が示す方向と一直線上にゴルフボールラインを照準しておき、ゴルフパット用方向指示装置を除去した後、ゴルフボールのライン方向にパットすれば、ゴルフボールが傾斜面に沿って一定のカーブを成しながらホールカップに接近して正確なパットがなされるようにする効果が発現される。
【００２１】
また、ゴルフボールが置かれた地点がホールカップの位置より高いか又は低いかを確認するための上下傾斜角表示手段は第２回転カムによって常に垂直に維持される方向に回転することを用いて該当ゴルフボールの地点の上下傾斜角が分かる。
【００２２】
すなわち、本発明による技術は、上下及び左右傾斜面にかかわらず、どの傾斜面でも傾斜角度を正確に表示しながらパット方向を指示することができるようにすることにより、グリーンの傾斜面による傾斜角度を勘案した正確なパットがなされるようにする効果がある。
【図面の簡単な説明】
【００２３】
【図１】本発明によるゴルフパット用方向指示装置の斜視図である。
【図２】本発明によるゴルフパット用方向指示装置の部分斜視図である。
【図３】図２の分解図である。
【図４】図２に上下傾斜角表示手段を追加した斜視構成図である。
【図５】図２の平面図である。
【図６ａ】本発明によるゴルフパット用方向指示装置を構成する左右傾斜角指示針の左右への傾きによる実施図である。
【図６ｂ】本発明によるゴルフパット用方向指示装置を構成する左右傾斜角指示針の左右への傾きによる実施図である。
【発明を実施するための形態】
【００２４】
本発明の実施例で提示する特定の構造又は機能的説明はただ本発明の概念による実施例を説明するための目的で例示したもので、本発明の概念による実施例は多様な形態に実施可能である。また、この明細書で説明する実施例に限定されるものと解釈されてはいけなく、本発明の思想及び技術範囲に含まれる全ての変更物、均等物又は代替物を含むものと理解しなければならない。
【００２５】
以下では添付図面に基づいて本発明によるゴルフパット用方向指示装置の好適な実施例を詳細に説明する。
【００２６】
図１は本発明によるゴルフパット用方向指示装置の斜視図、図２は本発明によるゴルフパット用方向指示装置の部分斜視図、図３は図２の分解図、図４は図２に上下傾斜角表示手段を追加した斜視構成図、図５は図２の平面図、図６ａ及び図６ｂは本発明によるゴルフパット用方向指示装置を構成する左右傾斜角指示針の左右への傾きによる実施図である。
【００２７】
図１に示したように、本発明によるゴルフパット用指示装置は、一定の厚さの板状になっており、半円弧形の左右傾斜角範囲を表示する左右傾斜角表示度目盛り１２０が一側に表示され、グリーン上のゴルフボールが置かれた位置でホールカップと一直線上にゴルフパット用指示装置を置くために照準するときに基準となるホールカップ照準基準線１１０が左右傾斜角表示度目盛り１２０の中央に表記される表示度目盛り板１００、一側が方向指示の矢印形状に形成され、他側は長孔が形成され、指示針回転手段３００によって左右に回転し、表示度目盛り板１００の中心に回転可能に連結される左右傾斜角指示針２００、左右傾斜角指示針２００を左右に回転させて前記左右傾斜角表示度目盛り１２０を指示するようにする指示針回転手段３００、表示度目盛り板１００に取り付けられ、グリーンの上下傾斜角を表示する上下傾斜角表示手段４００、及び表示度目盛り板１００の上部に結合されるカバー５００を含むゴルフパット用方向指示装置であって、
指示針回転手段３００は、長孔に垂直に結合され、端部に円形の楔ピン３１１が形成され、中心軸より下端が重い形態に構成され、重力によって常時地球の中心方向に垂直に維持される第１回転カム３１０と、第１回転カム３１０が左右に回転可能に結合され、第１回転カム３１０を前後に移動させ、ネジ状又は棒状の角度調節棒３２０と、表示度目盛り板１００に取り付けられ、側面が貫設され、角度調節棒３２０が結合及び支持される第１支持部３３０とを含んでなる。
【００２８】
上下傾斜角表示手段４００は、表示度目盛り板１００の一側上に上下に回転可能に結合され、回転中心が下側に偏り、上部円弧面に上下傾斜角を表示する上下傾斜角表示度目盛り４１１を含む第２回転カム４１０と、第２回転カム４１０の側面で回転軸となる第２回転ピン４１２と結合して支持する第２支持部４２０とを含んでなる。
【００２９】
カバー５００は表示度目盛り板１００より大きな透明窓から構成され、使用者がグリーン上に置かれたゴルフボールの地点に対する左右傾斜角と上下傾斜角を視覚的に確認することができるようにし、外部衝撃による内部損傷を防止する役割をする。
【００３０】
また、つまみ３２１がカバー５００の外部に突出して使用者が角度調節棒３２０を手軽く操作することができる。
【００３１】
図２及び図３は表示度目盛り板１００に結合される左右傾斜角指示針２００及び指示針回転手段３００と左右傾斜角指示針２００の結合関係に対する図面であり、表示度目盛り板１００の中心に回転軸となる第１回転ピン２２０によって表示度目盛り板１００の中心に左右傾斜角指示針２００が左右に回転可能に結合される。
【００３２】
第１回転カム３１０の下端に形成された楔ピン３１１は左右傾斜角指示針２００の一側に形成された長孔に密着し、第１回転カム３１０の動きによって左右傾斜角指示針２００を動かす。ここで、前記楔ピンは端部が円形に形成されるので、第１回転カム３１０が左右に回転するとき、左右傾斜角指示針２００の一側の長孔に密着して隙間なしに指示針を動かす。
【００３３】
左右傾斜角指示針２００の長孔の周辺には表示度目盛り板１００の中心と楔ピン３１１間の距離が分かるようにする位置識別度目盛り２１０が表示され、角度調節棒３２０の操作によって第１回転カム３１０を前後に移動させることができる。
【００３４】
角度調節棒３２０はネジ状又は棒状に形成され、第１支持部３３０と螺合し、一端につまみ３２１が設けられるので、つまみ３２１を時計方向又は反時計方向に回転させることにより、角度調節棒３２０と連結されている第１回転カム３１０を前後に移動させることができる。ただ、角度調節棒３２０のネジ部は第１回転カム３１０を移動させるための一方法のもので、ネジ部に限定されるものではなく、使用者が任意の力を加えて角度調節棒３２０を前後に移動することもでき、以外にも多様な方法で角度調節棒３２０を移動させることができる。
【００３５】
図４は本発明によるゴルフパット用方向指示装置を構成する表示度目盛り板にさらに上下傾斜角表示手段を追加した斜視構成図である。
【００３６】
第２支持部４２０の上部は第２回転カム４１０の上部円弧面と同形状であり、第２回転カム４１０の側面に二つの板状に取り付けられて第２回転カム４１０を支持し、第２回転カム４１０が上下に回転することができるように、第２回転ピン４１２が側面から第２支持部４２０と第２回転カム４１０を貫通して連結される。
【００３７】
また、第２支持部４２０の上部には上下傾斜角の基準となる上下傾斜角基準線４２１が表示されることにより、グリーン上に置かれたゴルフボールが位置する地点の上下傾斜角が分かるようにする。
【００３８】
より詳細に説明すれば、上下傾斜角表示手段４００はグリーン上に置かれたゴルフボールが位置する地点の上下傾斜角を測定することができるようにしたもので、ゴルフボールの地点よりホールカップの方向が高いか又は低い場合、第２回転カム４１０が重力による重さ中心に回転することになる。
【００３９】
ここで、上下傾斜角基準線４２１と一致する上下傾斜角表示度目盛り４１１が測定しようとする上下傾斜度である。
【００４０】
図５は図２の平面図で、角度調節棒の移動による回転カムの動きと左右傾斜角指示針回転角度の相関関係を示した図である。
【００４１】
図５に示したように、第１回転カム３１０が一定の角度で回転したと仮定し、第１回転カム３１０の下端に形成された楔ピン３１１が左右傾斜角指示針２００の一側に形成された長孔に密着して第１回転ピン２２０に近いほど左右傾斜角指示針２００の回転角度が大きくなることが分かる。
【００４２】
前述したように構成された本発明によるゴルフパット用方向指示装置の作動関係を詳述すれば次のようである。
【００４３】
グリーン上にゴルフボールが置かれた位置の後ろにマーカーの代用としてゴルフパット用方向指示装置を位置させれば、グリーンの左右傾斜面によって第１回転カム３１０が左側又は右側に傾きながら回転し、第１回転カム３１０の左右回転によって、第１回転カム３１０の楔ピン３１１と垂直に噛み合った左右傾斜角指示針２００は第１回転カム３１０が傾く方向の逆方向に水平に回転する。このとき、表示度目盛り板１００上に傾斜面の傾いた角度に比例して左右傾斜角指示針２００が回転して左右傾斜角表示度目盛り１２０を指示することになる。
【００４４】
例を挙げて説明すれば、図６ａで、ホールカップに向かったとき、グリーンの傾斜が右側から左側に下向きの形態、つまり右側が高くて左側が低い傾斜になっていると仮定する場合、グリーンにゴルフボールが置かれるとき、本発明によるゴルフパット用方向指示装置をゴルフボールの後ろにマーカーの代用として位置させれば、ゴルフパット用方向指示装置は左側に傾いた状態で位置する。このとき、第１回転カム３１０は重力によって常に地球の中心方向に垂直に維持しようとする方向に左側に傾くことになり、第１回転カム３１０の下端部の楔ピン３１１は垂直に噛み合った左右傾斜角指示針２００の長孔に密着したままで長孔を左側に回転させて他側の方向指示形状の矢印が右側方向を指示するようになる。
【００４５】
すなわち、ゴルファーは左右傾斜角指示針２００が右側を指示すれば、右側面が左側面より高く傾いたことを認知するとともに右側傾斜面の傾斜角度が正確に分かるようになる。反対の場合、図６ｂで、左右傾斜角指示針２００が左側を指示すれば、左側面が右側面より高く傾いたことを認知するとともに左側傾斜面の傾斜角度が正確に分かるようになり、ゴルファーは左右傾斜角指示針２００が指示する方向にゴルフボールのラインを合わせた後、マーカーの代用であるゴルフパット用方向指示装置を除去し、ゴルフボールのライン方向にパットすれば良い。
【００４６】
また、前述したように、上下傾斜角表示手段４００は第２回転カム４１０によって常時垂直に維持される方向に回転することを用いて、グリーン上に位置する該当ゴルフボール地点の上下傾斜角を表示することができる。
【００４７】
以上で説明した本発明は前述した実施例及び添付図面によって限定されるものではなく、本発明の技術的思想を逸脱しない範疇内でさまざまな置換、変形及び変更が可能であるというのは本発明が属する技術分野で通常の知識を有する者に明らかであろう。
【符号の説明】
【００４８】
１００    表示度目盛り板
１１０    ホールカップ照準基準線
１２０    左右傾斜角表示度目盛り
２００    左右傾斜角指示針
２１０    位置識別度目盛り
２２０    第１回転ピン
３００    指示針回転手段
３１０    第１回転カム
３１１    楔ピン
３２０    角度調節棒
３２１    つまみ
３３０    第１支持部
４００    上下傾斜角表示手段
４１０    第２回転カム
４１１    上下傾斜角表示度目盛り
４１２    第２回転ピン
４２０    第２支持部
４２１    上下傾斜角基準線
５００    カバー
【図１】
2019509866.tif 000003
【図２】
2019509866.tif 000004
【図３】
2019509866.tif 000005
【図４】
2019509866.tif 000006
【図５】
2019509866.tif 000007
【図６ａ】
2019509866.tif 000008
【図６ｂ】
2019509866.tif 000009
【国際調査報告】
2019509866.tif 000010
2019509866.tif 000011
2019509866.tif 000012
2019509866.tif 000013